(57)【要約】使用中において保管ケースの一部（２４）をベースの一部として用いるランタン（２０）が提供される。ランタン保管時に、保管ケースの外側シェルまたはカバー（２４）は、ランタン（２０）のグローブアッセンブリ（５０）周囲に延在する。使用時に、カバー（２４）は、グローブアッセンブリ（５０）を支持するためにグローブアッセンブリの底に取り付けられる。グローブアッセンブリをランタンから簡単に取り外して、ランタンのマントル（６８）に容易にアクセスできるように、クイックリリースアッセンブリ（９４，７６）が設けられている。クイックリリースアッセンブリ（９４，７６）を作動させるとグローブアッセンブリ（５０）が外れる。これにより、グローブアッセンブリ（５０）を、基部、例えばランタン（２０）のカラー（４８）から持ち上げることができる。【選択図】図２
2008536265.tif 000002
【特許請求の範囲】
【請求項１】
発光アッセンブリと、第１の状態では前記発光アッセンブリのスタンドの一部となるとともに、第２の状態では、前記発光アッセンブリの保管容器の外側ケーシングの一部となるように構成されたカバーと、を備えるランタン。
【請求項２】
前記発光アッセンブリは、さらにキャップを備え、該キャップは、ランタンが前記第２の状態にある際、前記カバーの頂部に内嵌する、請求項１に記載のランタン。
【請求項３】
前記キャップは、ランタンが前記第２の状態にある際、前記外側ケーシングの一部を形成する、請求項２に記載のランタン。
【請求項４】
前記発光アッセンブリは、グローブ・カラーアッセンブリを備える、請求項２に記載のランタン。
【請求項５】
前記発光アッセンブリは、一つ以上のマントルを備える、請求項４に記載のランタン。
【請求項６】
ベースをさらに備え、前記第１の状態では、前記カバーは前記ベースに取り付けられ、前記発光アッセンブリは前記カバーに取り付けられる、請求項５に記載のランタン。
【請求項７】
前記第２の状態では、前記カバーは前記ベースに取り付けられ、前記発光アッセンブリは前記カバー及びベースの中に収容される、請求項６に記載のランタン。
【請求項８】
前記カバーは、前記ベースに対して、少なくとも二つの異なる配置で取り付けられ、前記第１の状態における、前記ベースに取り付けられたカバーにより定まる第１の高さは、前記第２の状態における、前記ベースに取り付けられたカバーにより定まる第２の高さよりも小さい、請求項６に記載のランタン。
【請求項９】
前記第１の状態で前記カバーを前記ベースに固定する第１のロックをさらに備える、請求項８に記載のランタン。
【請求項１０】
前記第２の状態で前記カバーを前記ベースに固定する第２のロックをさらに備える、請求項９に記載のランタン。
【請求項１１】
前記第２の状態で前記カバーを前記ベースに固定するロックをさらに備える、請求項８に記載のランタン。
【請求項１２】
前記第２の状態では、前記カバーが前記ベースに取り付けられ、前記発光アッセンブリは前記カバー及びベースの中に収容される、請求項１に記載のランタン。
【請求項１３】
基部に取り付けられた光源と、前記光源の周囲に延在し前記基部に着脱自在に接続されたグローブアッセンブリと、前記グローブアッセンブリを前記基部からリリースして、該グローブアッセンブリを前記光源の周囲から移動することを可能とするラッチ機構と、を備えるランタン。
【請求項１４】
前記基部は、カラーを備え、前記光源は、少なくとも一つのマントルを備える、請求項１３に記載のランタン。
【請求項１５】
前記グローブアッセンブリ及びラッチ機構は、係合することにより、前記グローブアッセンブリを前記基部に着脱自在に接続する合わせ機械部品を備える、請求項１３に記載のランタン。
【請求項１６】
前記グローブアッセンブリは突起を備え、前記ラッチアッセンブリは、前記突起の上に延在し、前記グローブアッセンブリを前記基部に対して着脱自在に接続するロックを備える、請求項１５に記載のランタン。
【請求項１７】
前記ロックは、前記グローブアッセンブリを前記基部に対して着脱自在に係止する固定具の上に延在するスライドバーを備える、請求項１６に記載のランタン。
【請求項１８】
前記スライドバーは、前記突起の上に延在する第１の位置と、前記突起の上に延在する位置から移動した第２の位置との間で、ユーザが該スライドバーの移動を可能とする、前記基部から外方に延在するハンドルを備える、請求項１７に記載のランタン。
【請求項１９】
前記ラッチ機構及びグローブアッセンブリは、係合することにより、前記グローブアッセンブリを前記基部に着脱自在に接続する２つの合わせ機械部品を備える、請求項１５に記載のランタン。
【請求項２０】
前記ラッチ機構は、前記２つの合わせ機械部品をリリースするためのリリース機構を備え、該リリース機構は、ユーザが片手による一度の動作により前記２つの合わせ機械部品をリリース可能なように配置されている、請求項１９に記載のランタン。
【請求項２１】
前記合わせ機械部品のそれぞれのセットとして、前記グローブアッセンブリは突起を備え、前記ラッチアッセンブリは、前記突起の上に延在し、前記グローブアッセンブリを前記基部に対して着脱自在に接続するロックを備える、請求項１９に記載のランタン。
【発明の詳細な説明】
【関連出願の参照】
【０００１】
本出願は、米国特許仮出願番号第６６／６６６０１３号（２００５年３月２９日出願）に基づく優先権を主張し、この出願は、参照により、本明細書に組み込まれる。
【技術分野】
【０００２】
本発明は、ランタン、より詳細には、燃料燃焼ランタンに関する。
【背景技術】
【０００３】
液体燃料またはＬＰ燃料を燃焼するランタンは周知である。このようなランタンは、燃料が供給されるバーナアッセンブリと、該バーナアッセンブリに取り付けられる一つ以上の触媒マントルとを備える。燃料は触媒マントル中で燃焼し、マントルは白熱し明るい光を発する。通常、マントルはガラスの円筒グローブにより包囲される。
【０００４】
マントルは、概してメッシュ材料により形成され、一端に開口を備える小型の袋形状を有する。開口端は、ランタンのバーナアッセンブリが有するバーナチューブの出口端周囲に固定されている。マントルは、例えば引き紐により固定することができる。または、米国特許第５６３９２３１号に開示されているように、マントルはバネクリップにより固定することもできる。
【特許文献１】米国特許第５６３９２３１号公報
【発明の開示】
【発明が解決しようとする課題】
【０００５】
従来のランタンが有する一つの問題点は、一つまたは複数のマントルを取り付ける、または交換する際に、バーナチューブにアクセスしにくいということである。一般的に、マントルにアクセスするために、換気キャップ及びグローブをランタンから取り外す必要がある。換気キャップは、多くの場合、ナット等により螺合しているため、取り外すためにはある程度の時間に加え、ユーザの技倆が必要である。さらに、グローブと換気キャップを取り扱う必要があるが、グローブは一般的にガラス製であるため、ユーザは注意を払わなければならない。
【０００６】
従来のランタンが有する他の問題点は、その保管である。多くのユーザは、ランタンをオリジナルの箱に入れて保管するが、箱は潰れたり、破れたり、水により破損したりすることで、使用できなくなってしまう。ランタン保管用ケースもあるが、別途購入しなければならない場合が多い。消費者はそのような保管ケースの存在を知らない場合があり、知っていてもどこで入手できるか知らない場合もあり、または保管ケースのための余計な出費を控えたいかもしれない。さらに、ユーザがランタンの保管ケースを持っていても、ランタンを使用中に、保管ケースをどうするかが常に問題となる。例えば、ランタンを使用中に、保管ケースを車の中やテントの中においておかなければならない場合がある。
【課題を解決するための手段】
【０００７】
以下、本発明の基本的な理解のため、本発明の幾つかの実施形態についての概略を示す。この概略は、本発明の全体を概観するものではない。本発明の主要な要素または必須の要素を特定するものではなく、本発明の範囲を決定するものでもない。後述する、より詳細な説明の前置きとして、本発明の幾つかの実施形態を簡略化した形態で示すことのみを目的とするものである。
【０００８】
一実施形態によれば、ランタンのベースの一部を保管ケースとして使用するランタンが提供される。ランタン保管時には、保管ケースの外側シェルまたはカバーがランタンのグローブアッセンブリの周囲に延在する。ランタン使用中は、このカバーはランタン周囲から取り除かれ、グローブアッセンブリの底に取り付けられて、グローブアッセンブリを支持する。
【０００９】
一実施形態によれば、マントルまたは他の光源（例えば電球）の周囲からグローブアッセンブリを簡単に取り外し、ランタンの光源に簡単にアクセスできることを可能とする、クイックリリースアッセンブリが提供される。クイックリリースアッセンブリを作動することで、グローブアッセンブリが取り外される。グローブアッセンブリは、その後ランタンベース、例えばランタンのカラーから持ち上げることができる。一実施形態では、グローブアッセンブリは、上部に換気キャップを備える包囲ケーシングにより保護されたグローブを備える。これにより、グローブに直接触れる必要がなくなる。
【００１０】
本発明のその他の特徴については、図面とともに、以下の詳細な説明により明らかにされる。
【発明を実施するための最良の形態】
【００１１】
以下の説明において、本発明の種々の実施形態について説明する。説明を目的として、特定の構成及び細部が示され、実施形態の完全な理解が図られる。しかしながら、当業者にとっては、このような具体的な詳細がなくとも、本発明を実施できることは明らかである。さらに、周知の特徴については、実施形態の説明が不明瞭となることを避けるために、省略または簡略化される場合がある。
【００１２】
以下、図面を参照して説明するが、各図において同様の構成については同一の符号を用いて説明する。図１は、本発明の一実施形態に係るランタン２０である。図２から理解されるように、ランタン２０は、ベース２２、カバー２４、およびグローブ・カラーアッセンブリ２６を備える。
【００１３】
詳細は後述するが、簡単に説明すると、図１に示すように、保管状態では、グローブ・カラーアッセンブリ２６がベース２２及びカバー２４の内部に保管できるように、ランタン２０は構成され配置されている。使用状態では、図２に示すように、カバー２４がグローブ・カラーアッセンブリ２６の周囲から取り除かれ、グローブ・カラーアッセンブリ２６はベース２２の中から取り外され、グローブ・カラーアッセンブリ２６はカバー２４の頂部に載置され、カバー２４はベース２２の頂部に載置される。
【００１４】
開示の実施形態では、ベース２２は円筒壁３０を有するが、他の形状のものを用いても良い。脚３２は、ベース２２の底に対し、ヒンジ３４にて回動自在に取り付けられている。一実施形態においては、脚３２は、脚３２が広げられた場合にベース２２の設置面積が広がるように、外側に向けて延在する。図１に矢印３５で示すように、ヒンジ３４を中心に脚３２を回転させてベース２２の下に折畳むようにしても良い。
【００１５】
必要であれば、脚の回転を外側に真っ直ぐな位置または他の位置で、ストッパ、ヒンジ３４の摩擦、またはヒンジ３４の回転を制限する他の機構によって止めるようにしても良い。他の実施形態としては、脚３２が地形の変化に対応できるように、脚３２は複数位置、例えば、二箇所またはそれ以上の位置でロック可能に調節できるものであってもよい。このような実施形態として、脚３２を多くの異なる方法により、異なる位置でロックされることができる。例えば、それらの位置で増加する摩擦や、各脚３２を各々望ましい方向に固定するロック構造（図示せず）がある。一実施形態として、最大に広がった位置にストッパ（図示せず）を設けてもよい。
【００１６】
突起３６が、円筒壁３０の外側に配置される。突起３６の機能については後述する。
【００１７】
図示の実施形態では、カバー２４は円筒壁３８を備えるが、他の形状であっても良い。カバー２４は、上部開口４０を有する。ハンドル４２が上部開口４０の対向する両側面に、ピン４４（図２には一つのみを示す）により取り付けられている。一方、カバー２４は、円筒壁３８の内側に２つの内部スロット４６，４７を有する。内部スロット４７は内部スロット４６の上方に位置している。
【００１８】
使用時に、上述の通り、本実施形態においては、保管状態（図１）と使用状態（図４）の両方で、上記のようにカバー２４がベース２２に取り付けられる。一実施形態においては、図１の保管状態と比較し、図４の使用状態では、カバー２４はベース２２のより下方で取り付けられる。これにより、ベース２２とカバー２４とが拡張状態で接続されたときに、これらの中にグローブ・カラーアッセンブリ２６を収容できる。グローブ・カラーアッセンブリ２６がカバー２４の頂部に取り付けられる場合には、短くてコンパクトな状態にあるベース２２とカバー２４によるケーシングが使用される。このように短くすることで、使用時におけるランタン２０の転倒が抑制される。
【００１９】
ランタンを保管する際には、グローブ・カラーアッセンブリ２６をベース２２内に位置させた状態で、カバー２４をベース２２上に載置する。カバー２４はベース２２とグローブ・カラーアッセンブリ２６の周囲を覆って、カバー２４の内側上部がグローブ・カラーアッセンブリ２６の頂部と係合する。この状態で、突起３６の位置が下側の内部スロット４６の位置と一致する。カバー２４を回すと、ベース２２の突起３６が下側の内部スロット４６内に係止される。
【００２０】
使用するためにカバー２４をベース上に取り付ける場合には、突起は上側の内部スロット４７内に係止される。カバー２４がベース２２に挿入される量を制限することができるように、棚または他のストッパ（図示せず）がカバー２４の円筒壁３８の内側に設けられていても良い。このようなストッパにより許可される挿入量は、カバー２４がその量だけ挿入された場合に、上側の内部スロット４７が突起３６と縦方向に位置決めされ、したがってカバー２４を単に回すだけでカバーがベース２２上の所定位置にロックさせることができる。
【００２１】
カバー２４とベース２２に他のロック機構を設けても良い。これらには、例えば、カバーがベースに取り付けられた後で、ベース２２に対するカバー２４の相対的な動きを阻止または制限する、内部または外部ラッチ、摩擦フィッティング、スナップ、ベースとカバーの両方を貫通する構造、または、他の適当な構造または方法が含まれる。さらに、開示の実施形態では、カバー２４はベース２２の外側に延在しているが、この構成は逆であっても良く、二つの部材は部分的に重なっていても良く、端部と端部が当接していても良いし、さらには、他の相対的な配置を採ってもよい。しかしながら、開示の実施形態では、カバー２４がベース２２の上方と周囲を覆うように取り付けられることで、雨の浸入、または、その他の埃や虫の侵入からベース２２を保護することができる。これにより、カバー２４及びベース２２が、使用状態でランタン２０の下部に対する密閉ケースを形成する。
【００２２】
グローブ・カラーアッセンブリ２６は、カラー４８を下部に備え、グローブアッセンブリ５０がカラーの上に設置される。開示の実施形態では、換気キャップ５２がグローブアッセンブリ５０の頂部に配置されている。
【００２３】
一般的に、ランタン２０のような燃料を燃焼するランタンは、燃料と空気とを混合し、その混合体をランタンのマントルに供給するバーナアッセンブリを有する。ランタン用のバーナアッセンブリの部品は公知であるが、便宜のためにここで概略を説明する。ランタン２０のようなランタンは、一般的に、プロパンシリンダ５４からの燃料の圧力をランタンで使用可能な圧力にまで低下させるレギュレータ（図示しないが、当業者に公知である）を有する。レギュレータは、一般的に、弁（図示せず）に接続され、該弁はコントロールノブ５６に接続される。本実施形態では、コントロールノブ５６はカラー４８上に設置されている。コントロールノブ５６を回転させると、バーナアッセンブリに対する燃料流量が増減する。
【００２４】
図示のバーナアッセンブリでは、空気燃料吸入管６０がカラー４８から上方に向かってマニホールド６２にまで延在している。これはランタンの分野では「ピーナッツ」とよく呼ばれる。一つのバーナチューブ６４がマニホールド６２から下方に向かってマントルマウント６６まで延在している。
【００２５】
必要があれば、イグナイタ（図示しないが、当業者には公知である）をランタン２０の着火のために設けても良い。このようなイグナイタを用いることは公知であり、その構造の詳細と操作についてはここでは言及しない。イグナイタの代わりに、ランタン２０をマッチ等により手動で着火しても良い。
【００２６】
マントル６８がマントルマウント６６上に取り付けられている。一つのマントルマウント６６と一つのマントル６８について示すが、複数のマントルマウント６６及び／またはマントル６８を用いても良い。さらに、図面ではソックマントルを示すが、異なるタイプのマントル、例えばチューブマントルを使用してもよい。
【００２７】
操作時には、ユーザはコントロールノブ５６を回転し、これにより（もし設けられている場合には）イグナイタがスパークし（または、イグナイタに押しボタンを別途設けてもよいし、手動で着火してもよい。）、空気燃料吸入管６０及びマニホールド６２を経てガスが供給され、マントルマウント６６のバーナチューブ６４から出る。一般的にイットリウム等の触媒材料により作られるマントル６８が点火し、燃料がマントルに供給されている間中、点火状態が続く。
【００２８】
マントル６８はマントルマウント６６に対して結ばれていても良いし、クリップ止めされていてもよいし、他の方法により取り付けられていても良い。例えば、マントル６８をマントルマウント６６に取り付けるために使用可能な一つの構造が米国特許第５６３７２３１号に開示されている。この特許では、マントルをマントルマウントに取り付けるためのバネクリップが開示されている。
【００２９】
開示の実施形態ではマントル及び燃料を用いているが、本発明の態様は、いかなる種類のランタンに対しても適用可能である。例えば電池式ランタンを含むがこれに限定されるものではない。そのような実施形態では、グローブ・カラーアッセンブリ２６は、（グローブ・カラーアッセンブリ２６のマントル発光アッセンブリに対応する）電気式発光アッセンブリに置き換えられる。電気式発光アッセンブリでは、グローブ・カラーアッセンブリ２６内においてグローブアッセンブリ５０が位置する所に、ランプまたは電球（不図示）が位置する。電池式ランタンでは換気する必要がないため、換気キャップ５２は必要ない。しかしながら、本発明の実施形態では、マントルにアクセスしなければならない燃料式ランタンに適用するのが実用的である。さらに、ケースをベースとして使用する点が、燃料キャニスタに取り付けられたランタンにとって有効である。ランタンが使用位置にある場合に、カバー２４が燃料キャニスタ用の空間を作るからである。
【００３０】
グローブアッセンブリ５０は、換気キャップ５２の下方に設けられたグローブ７０を有する。開示の実施形態では、グローブ７０の下端縁が底支持部７２に載置している。底支持部７２は、グローブ７０の下端縁よりも広い、環状形状である。レール７４が底支持部から上方に換気キャップ５２まで延在している。グローブ７０は底支持部７２と換気キャップ５２の間に挟まれ、レール７４間に保持されている。
【００３１】
脚７６がグローブアッセンブリ５０の底支持部７２の底から延在する。開示の実施形態では、各脚７６は、底支持部７２の底に対して平行に延在するエクステンション７８を有する。各エクステンションは、図６〜図８から理解されるように、脚の下向きポスト８２とエクステンション７８との接合部に切り欠き８０を有している。
【００３２】
図３及び図５から理解されるように、カラー４８の頂部は、外周縁に沿って複数のスロット９２を備えるトッププレート９０を有する。ラッチプレート９４がトッププレート９０の下に取り付けられ、トッププレート９０に対して相対的に回動自在となっている。ラッチプレート９４は、外側に向けて延在するハンドル９６と、外周縁に沿って間隔を隔てたスロット９８を有する。開示の実施形態では、ラッチプレート９４はリング状であるが、他の構成のものを用いても良い。固止めバネ１００が各スロットの末端に位置している。図示の実施形態では、ラッチプレート９４は一連の盛り上がった部位１０４及び下がった部位１０２を有する。盛り上がった部位１０４及び下がった部位１０２は、トッププレート９０に対する相対的なラッチプレート９４の回転を補助し、ラッチプレート９４が脚７６に対して係合することを許可する。この動作について以下においてさらに説明する。
【００３３】
ラッチプレート９４のハンドル９６は、カラー４８（図３）のスロット１０８の外側に延びる。スロット１０８に沿ってハンドル９６が動くことで、ラッチプレート９４は、カラー４８の中でトッププレート９０に対して相対的に回転する。
【００３４】
グローブアッセンブリ５０をカラー４８の上に設置するため、トッププレート９０のスロット９２及びラッチプレート９４のスロット９８は図６に示すように整列されて位置決めされる。この位置は、図３に示すハンドル９６の位置と一致する。トッププレート９０のスロット９２とラッチプレート９４のスロット９８とがこのように位置決めされることで、グローブアッセンブリ５０の脚７６は両方のスロットを貫通することができ、図６に示す位置から図７に類似する位置を採る。ラッチプレート９４をトッププレート９０に対して相対的に回転させるため、ハンドル９６を図３の右方向に動かすことができる。これにより、ラッチプレート９４がトッププレート９０に対して相対的に動いて図６（ただし脚７６が挿入された状態）の位置から図７の位置となり、さらに図８に示す位置となる。
【００３５】
ラッチプレート９４がこのようにトッププレート９０に対して相対的に動いている間に、各脚７６の先端が各スロット９８の固止めバネ１００に対して係合する。ラッチプレート９４の柔軟性、及び盛り上がった部位１０４及び下がった部位１０２の配置により、ラッチプレート９４が撓み、固止めバネ１００が上がり、脚７６の端を跨いでスライドする。そして図８に示すように脚の切り欠き８０の位置に嵌り込む。すなわち、固止めバネ１００に隣接する下がった部位１０２は脚７６と係合したあとで上方に撓み、固止めバネ１００が切り欠き８０に嵌るまでその撓んだ状態を維持する。この位置では、グローブアッセンブリ５０はカラー４８上に固く保持される。グローブアッセンブリ５０を外すためには、ユーザはハンドル９６を握って図３の左側に回す。ユーザは固止めバネ１００を切り欠き８０から外すために力を加える必要があるが、適度な力であるため達成可能である。ラッチプレート９４が図６の位置にまで動けば、トッププレート９０のスロット９２及びラッチプレート９４のスロット９８は再び整列された位置決めされた状態となり、グローブアッセンブリ５０が除去可能となる。
【００３６】
ラッチプレート９４を使用することで、グローブアッセンブリ５０を簡単な方法で除去でき、グローブアッセンブリ５０を外すことで、交換のためにマントル６８に容易にアクセスできる。すなわち、ラッチプレート９４及びグローブアッセンブリ５０の脚７６がグローブアッセンブリのクイックリリース機構として機能する。他のクイックリリース機構が設けられていても良い。
【００３７】
使用に際して、ランタン２０は図１に示す状態にて保管される。ベース２２の脚３２は、コンパクトに収納するためにベース２２の下に折畳まれる。保管状態では、グローブ・カラーアッセンブリ２６はベース２２の底に位置し、カバー２４はベースを覆うとともにグローブ・カラーアッセンブリ２６の周囲及び上方に配置される。上述のように、カバー２４はベースにロックされる。この状態では、換気キャップ５２の上部は、カバー２４の上部開口４０に位置決めされ、グローブアッセンブリ５０の上部を所定の位置に保持する。ベース２２は、グローブ・カラーアッセンブリ２６の下部を所定の位置に保持できるように十分な構造及びサイズとされる。これにより、ランタン２０は完全に保護されベース２２とカバー２４の間の位置にロックされる。
【００３８】
ランタン２０を使用するためには、ユーザはカバー２４をベース２２から外す。例えば、開示の実施形態では、カバー２４をベース２２に対して相対的に回転させて突起３６を内部スロット４６から外す。次いで、カバー２４はベース２２から取り除かれ、グローブ・カラーアッセンブリ２６に対するアクセスが可能となる。次いで、グローブ・カラーアッセンブリはカバー２４の上部開口４０を覆って配置される。プロパンシリンダ、例えば図２のプロパンシリンダ５４が、カラー４８底の内ネジ（図示しないが、当業者には公知である）に螺合される。
【００３９】
カラー４８は、上部開口４０にロックされていても良いし、プロパンシリンダ５４の自重により上部開口４０中の所定の位置に保持されるようにしても良い。または、開口縁がカラーとプロパンシリンダとの間に挟まれていても良い。プロパンシリンダ５４がカラー４８の底に取り付けられた後で、上記のようにカバー２４がベース２２上に設置されても良い。ベース２２の底部の脚は、その後、ランタンが図４に示すような状態となるように、外側に広げられる。この状態が、ランタン２０の使用可能状態である。
【００４０】
理解されるように、ランタン２０は多くの有利な点を提供する。第１に、グローブアッセンブリ５０はカラー４８から容易に取り除くことができ、ランタン２０のマントル６８に対してすぐにアクセスが可能となる。第２に、カバー２４は、第１の状態ではランタンのベースの一部として機能し、第２の状態ではランタンの保管容器の外側ケーシングの一部として機能する。したがって、保管ケースを別に用意する必要がなく、ランタン２０をコンパクトに保管することができる。
【００４１】
他の変形例についても本発明の技術的思想の範囲内に含まれる。したがって、本発明は種々の改良及び変形の構成を受け入れる一方で、図示された特定の実施形態及び上記の詳細により説明されている。しかしながら、開示する特定の形態に限定する意図はなく、逆に、添付した特許請求の範囲により定義された本発明の技術的思想の範囲に含まれる全ての改良、他の構成、及び均等物が本発明に含まれる。
【００４２】
本明細書中で引用した、刊行物、特許出願、特許を含むすべての参考文献は、各参考文献が個別かつ特定して参考文献として組み込まれているものとして示され、そのすべてが本明細書において説明されている場合と同程度に、参照として組み込まれているものである。
【００４３】
本発明を説明する文脈中（特に特許請求の範囲の文脈中）における「一つの」「前記」および同様の指示語は、本発明中に特に明示がなければ、または文脈上明らかな矛盾がなければ、単数および複数両方を含むと解釈される。「構成され」「有し」「含み」および「含有し」との語は、そうではないとの断りがない限り、非制限的な語として解釈される（例えば、「非限定的に含む」と意味する）。「接続され」との語は、何らかのものが介在していたとしても、部分的または全体的に内包され、取り付けられ、または互いに連結されていると解釈される。本明細書における値の範囲の列挙は、本明細書中で特に示されていなければ、単に当該範囲中に入る別個の値を独立して引用するための簡略方法として意図されたものであり、各別個の値は、本明細書中に独立して列挙されているように本明細書中に組み込まれている。本明細書に記載された全ての方法は、本明細書中で特に示されていなければ、または、文脈上明らかに矛盾していなければ、いかなる順番でも良い。本明細書で提供された、いかなるまたは全ての例示の使用、または、例示言語（例えば「等」）は、特許請求の範囲として請求されていない限り、単に本発明の実施形態をより良く修飾するものにすぎず、本発明の範囲に制限を与えるものではないと意図される。本明細書中のいかなる言語は、特許請求の範囲にない要素を、本発明を実行するために必須な要素の示唆であると解釈されるべきものではない。
【００４４】
本発明を実行するために本発明者らが知る最適な実施形態を含む本発明の好ましい実施形態は、本明細書中に記載されている。本技術分野における通常の知識を有する者にとって、上記の記載を読めば、これら好ましい実施形態の変形は明らかである。発明者らは、そのような変形を適当に用いるため、当業者を想定する。また、発明者らは、本明細書中に特に記載された以外の方法により本発明が実行されることを意図する。すなわち、本発明は、添付された特許請求の範囲中に列挙された主題の全ての変形物及び均等物についても該当する法律により権利が与えられたものとして包含する。さらに、本明細書中で特に示されていなければ、または文脈上明らかに矛盾していなければ、全ての可能な変形中における上記に記載された要素のいかなる組み合わせも、本発明により包含される。
【図面の簡単な説明】
【００４５】
【図１】本発明の一実施形態に係るランタンの側面斜視図であり、ランタン保管時の状態を示す。
【図２】図１に示すランタンの側面分解斜視図である。
【図３】図１及び図２に示すランタンのグローブ・カラーアッセンブリを示す側面分解斜視図である。
【図４】図１に示すランタンの側面斜視図であり、ランタン使用時の状態を示す。
【図５】図３に示すグローブ・カラーアッセンブリであり、細部を示すために一部を破断して示す分解斜視図である。
【図６】本発明の一実施形態に係るランタンにおいて、グローブアッセンブリをランタンのカラーに接続する最初の段階を示す模式図である。
【図７】本発明の一実施形態に係るランタンにおいて、グローブアッセンブリをランタンのカラーに接続する次の段階を示す模式図である。
【図８】本発明の一実施形態に係るランタンにおいて、グローブアッセンブリをランタンのカラーに接続する最後の段階を示す模式図である。
【符号の説明】
【００４６】
２０  ランタン
２２  ベース
２４  カバー
２６  グローブ・カラーアッセンブリ
３６  突起
４６  下側スロット
４７  上側スロット
４８  カラー
５０  グローブアッセンブリ
５２  キャップ
６８  マントル
７６  脚
９０  トッププレート
９４  ラッチプレート
９６  ハンドル
【図１】
2008536265.tif 000003
【図２】
2008536265.tif 000004
【図３】
2008536265.tif 000005
【図４】
2008536265.tif 000006
【図５】
2008536265.tif 000007
【図６】
2008536265.tif 000008
【図７】
2008536265.tif 000009
【図８】
2008536265.tif 000010
【国際調査報告】
2008536265.tif 000011
2008536265.tif 000012